【手続補正書】
【提出日】平成17年6月2日(2005.6.2)
【手続補正１】
【補正対象書類名】明細書
【補正対象項目名】特許請求の範囲
【補正方法】変更
【補正の内容】
【特許請求の範囲】
【請求項１】
コンテンツ通信サーバから送られてきた、リストコンテンツ受信手段と、端末から送られてきた位置情報を受信する位置情報受信手段と、前記リストコンテンツから、受信した前記位置情報と合致する前記位置条件が付与された前記位置条件別リストを抽出することにより、前記位置情報に対応する前記位置依存コンテンツの情報からなるエリア別リストコンテンツを生成するコンテンツ適応処理手段と、生成した前記エリア別リストコンテンツを前記端末に出力するエリア別リストコンテンツ出力処理手段と、前記エリア別リストコンテンツを受信した前記端末からの前記位置依存コンテンツ配信要求に対応した前記位置依存コンテンツを前記コンテンツ通信サーバから受信し、前記端末に配信するコンテンツ配信手段と、を具備したことを特徴とするコンテンツ処理装置。
【請求項２】
前記位置情報は、予め規定された地域内の任意地点の緯度座標値および経度座標値であり、前記位置条件は、中心の緯度、経度座標値、および半径の長さで規定される円領域であることを特徴とする請求項１記載のコンテンツ処理装置。
【請求項３】
前記コンテンツ通信サーバから送られてきた、前記位置依存コンテンツのカテゴリおよび前記カテゴリに対応するリストコンテンツの参照先の組で構成されるコンテンツであるメニューコンテンツを受信するメニューコンテンツ受信手段と、前記端末から送られてくる、前記端末のユーザが選択したカテゴリに対応する前記リストコンテンツの配信要求を受信するリストコンテンツ配信要求受信手段と、前記リストコンテンツ配信要求受信手段により受信した前記リストコンテンツの配信要求を前記コンテンツ通信サーバに送信するリストコンテンツ配信要求送信手段と、を具備し、前記リストコンテンツ受信手段は要求した前記リストコンテンツを受信することを特徴とする請求項１または請求項２記載のコンテンツ処理装置。
【請求項４】
データ放送を行うコンテンツ放送サーバから、前記位置依存コンテンツのカテゴリおよび前記カテゴリに対応するリストコンテンツの参照先の組で構成されるコンテンツであるメニューコンテンツを受信するメニューコンテンツ受信手段と、前記端末から送られてくる、前記端末のユーザが選択したカテゴリに対応する前記リストコンテンツの配信要求を受信するリストコンテンツ配信要求受信手段と、前記リストコンテンツ配信要求受信手段により受信した前記リストコンテンツの配信要求を前記コンテンツ通信サーバに送信するリストコンテンツ配信要求送信手段と、を具備し、前記リストコンテンツ受信手段は要求した前記リストコンテンツを受信することを特徴とする請求項１または請求項２記載のコンテンツ処理装置。
【請求項５】
前記位置依存コンテンツ以外の一般コンテンツを受信する一般コンテンツ受信手段と、受信した前記一般コンテンツを出力する一般コンテンツ処理手段と、を具備したことを特徴とする請求項１から請求項４のいずれかに記載のコンテンツ処理装置。
【請求項６】
前記リストコンテンツ受信手段は、受信した前記リストコンテンツを蓄積し、前記コンテンツ適応処理手段は、前記位置情報受信手段において新たに位置情報を取得した場合に、蓄積した前記リストコンテンツから、新たに取得した前記位置情報と合致する前記位置条件が付与された前記位置条件別リストを抽出することにより、前記新たに取得した位置情報に対応する前記エリア別リストコンテンツを生成することを特徴とする請求項１から請求項４のいずれかに記載のコンテンツ処理装置。
【請求項７】
蓄積済みの前記リストコンテンツと同一であるリストコンテンツの配信要求を受け付けた場合は、前記コンテンツサーバから新たに前記リストコンテンツを再受信せずに、蓄積済みのコンテンツを利用することを特徴とする請求項６記載のコンテンツ処理装置。
【請求項８】
コンテンツ適応処理手段は、前記リストコンテンツに含まれる前記位置条件を抽出した位置条件リストを作成し、前記位置条件リストに記録されている前記位置条件と前記位置情報とを比較する位置判定処理を行い、その位置判定結果を前記位置条件リストに記録し、新たな前記位置情報を取得した場合には、前記位置判定処理を行うことにより新たな位置判定結果を求め、前回の前記位置判定結果と前記新たな位置判定結果とが一致するか否かを判定することにより、前記位置判定結果が更新されたか判断することを特徴とする請求項１から請求項７のいずれかに記載のコンテンツ処理装置。
【請求項９】
前記位置条件リストには、自身の生成元である前記リストコンテンツの参照先が記録されており、前記コンテンツ適応処理手段は、前記位置判定結果の変化の有無を示す位置判定更新情報を出力し、前記位置判定結果に変化が有ることを示す前記位置判定更新情報を出力する場合には、前記リストコンテンツの参照先を併せて出力することを特徴とする請求項８記載のコンテンツ処理装置。
【請求項１０】
前記位置情報受信手段はネットワークを介して他の装置から前記位置情報を受信し、前記エリア別リストコンテンツ出力処理手段は、ネットワークを介して他の装置に前記エリア別リストコンテンツを出力することを特徴とする請求項１から請求項９のいずれかに記載のコンテンツ処理装置。
【請求項１１】
地理的位置情報と関連付けられたコンテンツである位置依存コンテンツと位置依存コンテンツの参照先を位置条件毎にまとめた位置条件別リストに前記位置条件を付与したリストコンテンツを蓄積するリストコンテンツ蓄積手段と、端末から送られてきた位置情報を受信する位置情報受信手段と、前記リストコンテンツから、受信した前記位置情報と合致する前記位置条件が付与された前記位置条件別リストを抽出することにより、前記位置情報に対応する前記位置依存コンテンツの情報からなるエリア別リストコンテンツを生成するコンテンツ適応処理手段と、生成した前記エリア別リストコンテンツを前記端末に出力するエリア別リストコンテンツ出力処理手段と、前記エリア別リストコンテンツを受信した前記端末からの前記位置依存コンテンツ配信要求に対応した前記位置依存コンテンツを配信するコンテンツ配信手段と、を具備したことを特徴とするコンテンツ処理装置。
【請求項１２】
定期的に位置情報を取得する位置情報取得手段と、前記取得した位置情報を請求項１から請求項１１のいずれかに記載のコンテンツ処理装置に送信する位置情報送信手段と、送信した前記位置情報に対応する前記エリア別リストコンテンツを受信するエリア別リストコンテンツ受信手段と、受信した前記エリア別リストコンテンツを表示するエリア別リストコンテンツ表示手段と、前記表示されたエリア別リストコンテンツから任意の位置依存コンテンツを選択し配信を要求するコンテンツ配信要求手段と、配信要求した前記位置依存コンテンツの配信を受けるコンテンツ受信手段と、受信した前記位置依存コンテンツを表示するコンテンツ表示手段と、を具備したことを特徴とするコンテンツ表示装置。
【請求項１３】
定期的に位置情報を取得する位置情報取得手段と、前記取得した位置情報を請求項９に記載のコンテンツ処理装置に送信する位置情報送信手段と、送信した前記位置情報に対応する前記エリア別リストコンテンツを受信するエリア別リストコンテンツ受信手段と、前記コンテンツ処理装置から送られてきた前記位置判定更新情報を受信するメッセージ受信手段と、前記位置判定更新情報が位置判定結果に変化があることを示す場合に、ユーザに対して、前記エリア別リストコンテンツが更新されたことを通知するリスト更新通知手段と、受信した前記エリア別リストコンテンツを表示するコンテンツ表示手段と、前記表示されたエリア別リストコンテンツから任意の位置依存コンテンツを選択し配信を要求するコンテンツ配信要求手段と、配信要求した前記位置依存コンテンツの配信を受けるコンテンツ受信手段と、受信した前記位置依存コンテンツを表示するコンテンツ表示手段と、を具備したことを特徴とするコンテンツ表示装置。
【請求項１４】
前記リスト更新通知手段は、ユーザからのエリア別リストコンテンツの更新要求を受け付け、ユーザからエリア別リストコンテンツの更新要求を受け付けた場合には、前記位置判定更新情報に付随する前記リストコンテンツの参照先を抽出し、抽出した前記リストコンテンツの参照先を含む前記コンテンツ配信要求を前記コンテンツ処理装置に送信することを特徴とする請求項１３に記載のコンテンツ表示装置。
【請求項１５】
前記位置判定更新情報が位置判定結果に変化があることを示す場合に、前記エリア別リストコンテンツの最新情報と更新日時とを表示することを特徴とする請求項１３または請求項１４記載のコンテンツ表示装置。
【請求項１６】
前記位置情報取得手段は、ＧＰＳによって、現在地の緯度座標値および経度座標値を取得することを特徴とする請求項１２から請求項１５のいずれかに記載のコンテンツ表示装置。
【請求項１７】
前記コンテンツ表示手段は、前記エリア別リストコンテンツを表示するコンテンツ表示モードと現在地を中心とした地図データを表示することが可能な地図表示モードを有し、前記コンテンツ表示モードと前記地図表示モードの切り替えが可能であり、前記リスト更新通知手段は、前記コンテンツ表示手段の状態に関わらず、前記エリア別リストコンテンツの更新状況を常に表示し、ユーザからエリア別リストコンテンツの更新要求を常に受け付けることを特徴とする請求項１４記載のコンテンツ表示装置。
【請求項１８】
前記コンテンツ表示手段は、地図表示モード時に、ユーザが指定した地図上の地点の緯度座標値および経度座標値を求め、それらを前記位置情報取得手段に出力する機能を有することを特徴とする請求項１７記載のコンテンツ表示装置。
【請求項１９】
前記位置情報取得手段は、ユーザから住所情報の入力を受け付け、入力された住所情報から緯度座標値および経度座標値を求める機能、もしくは、地図を表示した状態にある前記コンテンツ表示手段から緯度座標値および経度座標値を取得する機能を有することを特徴とする請求項１８記載のコンテンツ表示装置。
【請求項２０】
請求項１から請求項９のいずれかに記載のコンテンツ処理装置と、請求項１２から請求項１８のいずれかのコンテンツ表示装置と、を具備したことを特徴とするコンテンツ受信端末。
【請求項２１】
地理的位置情報と関連付けられたコンテンツである位置依存コンテンツの参照先を位置条件毎にまとめた位置条件別リストに前記位置条件を付与したリストコンテンツを配信するコンテンツ通信サーバと、請求項１から請求項１０のいずれかに記載のコンテンツ処理装置と、請求項１２から請求項１９のいずれかに記載のコンテンツ表示装置と、を具備し、前記コンテンツ通信サーバは、前記コンテンツ表示装置が要求した前記位置依存コンテンツを配信することを特徴とするコンテンツ適応配信システム。
【請求項２２】
地理的位置情報と関連付けられたコンテンツである位置依存コンテンツの参照先を位置条件毎にまとめた位置条件別リストに前記位置条件を付与したリストコンテンツを配信するコンテンツ通信サーバと、請求項２０に記載のコンテンツ受信端末と、を具備し、前記コンテンツ通信サーバは、前記コンテンツ受信端末が要求した前記位置依存コンテンツを配信することを特徴とするコンテンツ適応配信システム。
【請求項２３】
前記コンテンツサーバと前記コンテンツ処理装置との間の通信には、ＨＴＴＰを使用し、前記コンテンツ処理装置と前記コンテンツ表示装置との間の通信には、ＨＴＴＰをベースとして、位置情報と位置情報通知に対する応答とデータ放送受信情報とを通知するための仕様を追加したプロトコルを使用することを特徴とする請求項２１記載のコンテンツ適応配信システム。
【請求項２４】
コンテンツ通信サーバから送られてきた、地理的位置情報と関連付けられたコンテンツである位置依存コンテンツの参照先を位置条件毎にまとめた位置条件別リストに前記位置条件を付与したリストコンテンツを受信する工程と、端末から送られてきた位置情報を受信する工程と、前記リストコンテンツから、受信した前記位置情報と合致する前記位置条件が付与された前記位置条件別リストを抽出することにより、前記位置情報に対応する前記位置依存コンテンツの情報からなるエリア別リストコンテンツを生成する工程と、生成した前記エリア別リストコンテンツを前記端末に出力する工程と、前記エリア別リストコンテンツを受信した前記端末からの前記位置依存コンテンツ配信要求に対応した前記位置依存コンテンツを前記コンテンツ通信サーバから受信する工程と、受信した前記位置依存コンテンツを前記端末に配信する工程と、を具備したことを特徴とするコンテンツ中継配信方法。
【請求項２５】
位置情報を取得する工程と、前記取得した位置情報を他の装置に送信する工程と、請求項２４記載のコンテンツ中継配信方法により送られてきた前記位置情報に対応する前記エリア別リストコンテンツを受信する工程と、受信した前記エリア別リストコンテンツを表示する工程と、前記表示されたエリア別リストコンテンツからユーザが選択した任意の位置依存コンテンツの配信要求を出力する工程と、配信要求した前記位置依存コンテンツの配信を受ける工程と、受信した前記位置依存コンテンツを表示する工程と、を具備したことを特徴とするコンテンツ受信方法。
【請求項２６】
コンピュータに、コンテンツ通信サーバから送られてきた、地理的位置情報と関連付けられたコンテンツである位置依存コンテンツの参照先を位置条件毎にまとめた位置条件別リストに前記位置条件を付与したリストコンテンツを受信する工程と、端末から送られてきた位置情報を受信する工程と、前記リストコンテンツから、受信した前記位置情報と合致する前記位置条件が付与された前記位置条件別リストを抽出することにより、前記位置情報に対応する前記位置依存コンテンツの情報からなるエリア別リストコンテンツを生成する工程と、生成した前記エリア別リストコンテンツを前記端末に出力する工程と、前記エリア別リストコンテンツを受信した前記端末からの前記位置依存コンテンツ配信要求に対応した前記位置依存コンテンツを前記コンテンツ通信サーバから受信する工程と、受信した前記位置依存コンテンツを前記端末に配信する工程と、を行わせることを特徴とするプログラム。
【請求項２７】
コンピュータに、位置情報を取得する工程と、前記取得した位置情報を他の装置に送信する工程と、前記他の装置から送られてきた前記位置情報に対応する前記エリア別リストコンテンツを受信する工程と、受信した前記エリア別リストコンテンツを表示する工程と、前記表示されたエリア別リストコンテンツからユーザが選択した任意の位置依存コンテンツの配信要求を出力する工程と、配信要求した前記位置依存コンテンツの配信を受ける工程と、受信した前記位置依存コンテンツを表示する工程と、行わせることを特徴とするプログラム。
【請求項２８】
請求項２６または請求項２７に記載のプログラムを格納したコンピュータ読み取り可能な記憶媒体。